(57)【特許請求の範囲】
【請求項１】
所定の機能部を有する光機能素子と、
固化された液状封止樹脂によって構成され、前記光機能素子を封止するためのパッケージ本体と、
前記光機能素子に対して電気的に接続され、所定のリードフレーム材料からなる外部接続端子とを有し、
前記光機能素子の機能部に対応する孔部を有するパッケージ構成部材が前記パッケージ本体上に固着され、当該パッケージ本体に、前記光機能素子の機能部を露出させるための機能部露出用空間が設けられている光機能素子パッケージ。
【請求項２】
前記光機能素子が、前記外部接続端子に対しワイヤーボンディング法によって電気的に接続されている請求項１記載の光機能素子パッケージ。
【請求項３】
前記パッケージ構成部材の孔部を覆う保護用被覆部材が当該パッケージ構成部材上に設けられている請求項１又は２のいずれか１項記載の光機能素子パッケージ。
【請求項４】
前記保護用被覆部材が、前記パッケージ構成部材から剥離可能な保護フィルムである請求項３記載の光機能素子パッケージ。
【請求項５】
所定の端子パターンが形成されたリードフレームの素子非実装側面に耐熱フィルムを貼り付ける工程と、
前記リードフレームの素子実装側面に所定の光機能素子を実装する工程と、
前記リードフレーム上の前記光機能素子の周囲に、液状封止樹脂を堰き止めるための突堤部を設ける工程と、
前記突堤部の内側に液状封止樹脂を滴下する工程と、
前記突堤部の内側の前記光機能素子との間に液状封止樹脂を滴下した後、前記光機能素子の機能部に対応する孔部を有するパッケージ構成部材を、当該孔部を前記光機能素子の機能部に対向させた状態で前記突堤部に当接させることにより当該パッケージ構成部材を前記液状封止樹脂に接触させる工程と、
前記液状封止樹脂を硬化させる工程と、
前記耐熱フィルムを当該リードフレームから剥離する工程と、
前記突堤部を切断除去する工程とを有する光機能素子パッケージの製造方法。
【請求項６】
複数の実装領域を有するリードフレームと、前記リードフレームの各実装領域に対応する複数の突堤部を有する枠部材を用いる請求項５記載の光機能素子パッケージの製造方法。
【請求項７】
前記光機能素子として、当該機能部の近傍に前記液状封止樹脂を堰き止めるための堰き止め部を有する光機能素子を用いる請求項５又は６のいずれか１項記載の光機能素子パッケージの製造方法。
【発明の詳細な説明】
【技術分野】
【０００１】
本発明は、例えば受光素子や発光素子等の光機能素子パッケージに関し、特に、リードフレームを用いて光機能素子のパッケージングを行う技術に関する。
【背景技術】
【０００２】
従来、この種の光機能素子パッケージにおいては、透明モールド樹脂を用いたリードフレームパッケージ若しくは液状透明樹脂を用いたＣＯＢパッケージのいずれかが採用されている。
【０００３】
リードフレームパッケージでは、トランスファーモールドによって封止を行うようにしているが、この方式の場合、モールド樹脂の性質上耐リフロー性に劣り、鉛フリーはんだを用いたリフローの際にパッケージの破壊（樹脂クラック）が発生する場合がある。
【０００４】
また、液状透明樹脂を用いたＣＯＢパッケージの場合は、鉛フリーはんだを用いたリフロー時に問題は生じないが、リードフレームより高価なプリント基板を用いるため、パッケージコストがリードフレームパッケージより高いという問題がある。
【０００５】
その一方、受光素子等のパッケージにおいては、受光部上に樹脂が存在すると、例えば波長４０５ｎｍという短波長の青紫レーザー光は減衰し、所望の光特性を発揮させることができないという問題がある。
【発明の開示】
【発明が解決しようとする課題】
【０００６】
本発明は、このような従来の技術の課題を解決するためになされたもので、その目的とするところは、鉛フリーはんだリフローに対する耐性を有し、かつ、低コストの光機能素子パッケージを提供することにある。
【０００７】
また、本発明の他の目的は、光機能素子の諸特性を確実に発揮させることが可能な光機能素子パッケージを安価に提供することにある。
【課題を解決するための手段】
【０００８】
上記目的を達成するためになされた請求項１記載の発明は、所定の機能部を有する光機能素子と、固化された液状封止樹脂によって構成され、前記光機能素子を封止するためのパッケージ本体と、前記光機能素子に対して電気的に接続され、所定のリードフレーム材料からなる外部接続端子とを有し、前記光機能素子の機能部に対応する孔部を有するパッケージ構成部材が前記パッケージ本体上に固着され、当該パッケージ本体に、前記光機能素子の機能部を露出させるための機能部露出用空間が設けられている光機能素子パッケージである。
請求項２記載の発明は、請求項１記載の発明において、前記光機能素子が、前記外部接続端子に対しワイヤーボンディング法によって電気的に接続されているものである。
請求項３記載の発明は、請求項１又は２のいずれか１項記載の発明において、前記パッケージ構成部材の孔部を覆う保護用被覆部材が当該パッケージ構成部材上に設けられているものである。
請求項４記載の発明は、請求項３記載の発明において、前記保護用被覆部材が、前記パッケージ構成部材から剥離可能な保護フィルムであるものである。
請求項５記載の発明は、所定の端子パターンが形成されたリードフレームの素子非実装側面に耐熱フィルムを貼り付ける工程と、前記リードフレームの素子実装側面に所定の光機能素子を実装する工程と、前記リードフレーム上の前記光機能素子の周囲に、液状封止樹脂を堰き止めるための突堤部を設ける工程と、前記突堤部の内側に液状封止樹脂を滴下する工程と、前記突堤部の内側の前記光機能素子との間に液状封止樹脂を滴下した後、前記光機能素子の機能部に対応する孔部を有するパッケージ構成部材を、当該孔部を前記光機能素子の機能部に対向させた状態で前記突堤部に当接させることにより当該パッケージ構成部材を前記液状封止樹脂に接触させる工程と、前記液状封止樹脂を硬化させる工程と、前記耐熱フィルムを当該リードフレームから剥離する工程と、前記突堤部を切断除去する工程とを有する光機能素子パッケージの製造方法である。
請求項６記載の発明は、請求項５記載の発明において、複数の実装領域を有するリードフレームと、前記リードフレームの各実装領域に対応する複数の突堤部を有する枠部材を用いるものである。
請求項７記載の発明は、請求項５又は６のいずれか１項記載の発明において、前記光機能素子として、当該機能部の近傍に前記液状封止樹脂を堰き止めるための堰き止め部を有する光機能素子を用いるものである。
【０００９】
本発明の場合、リードフレーム材料によって例えばワイヤーボンディング用の外部接続端子を構成するとともに、液状封止樹脂によってパッケージ本体を構成するようにしたことから、鉛フリーはんだリフローに対する耐性を有し、しかも、低コストの光機能素子パッケージを提供することができる。
【００１０】
また、本発明においては、光機能素子の機能部に対応する孔部を有するパッケージ構成部材がパッケージ本体上に固着され、パッケージ本体に機能部露出用空間が設けられていることから、光機能素子の機能部を露出させることができ、これにより例えば青紫レーザー光のような短波長の光を減衰させずに確実に入出力可能な光機能素子を提供することができる。
【００１１】
一方、パッケージ構成部材の孔部を覆う保護用被覆部材が当該パッケージ構成部材上に設けられている場合には、光機能素子の機能部に対し、例えば、ダイシング時の切削水、塵埃、パッケージ実装時のフラックス等の異物の付着を防止してその機能を確実に発揮させることが可能になる。
【００１２】
この場合、保護用被覆部材として、パッケージ構成部材から剥離可能な保護フィルムを用いれば、使用の際、例えばマザーボードへのパッケージ実装後の組立の際に保護フィルムを剥がすことによって、光機能素子に光信号を減衰させることなく入出力させることが可能になる。
【００１３】
一方、本発明方法によれば、種々の構造及び機能の光機能素子パッケージを極めて簡素な工程で製造することができる。しかも、プロセスの温度がトランスファーモールドより低温であるため、耐熱フィルムの要求耐熱温度仕様を大幅に低減させることが可能になる。
【００１４】
本発明においては、突堤部の内側の光機能素子との間に液状封止樹脂を滴下した後、光機能素子の機能部に対応する孔部を有するパッケージ構成部材を、その孔部を光機能素子の機能部に対向させた状態で突堤部に当接させることによりパッケージ構成部材を液状封止樹脂に接触させることから、パッケージ本体に機能部露出用空間を容易に設けることができる。
【００１５】
この場合には、基板（加熱）温度を１２０〜１６０℃、液状封止樹脂の粘度を１０〜８０Ｐａ・ｓ、光機能素子とパッケージ構成部材の間の隙間を０．２〜０．４ｍｍとすることが好ましい。
【００１６】
この範囲を超えた場合、例えば温度が１２０℃より低い場合、また液状封止樹脂の粘度が８０Ｐａ・ｓより大きい場合には、液状封止樹脂がパッケージ構成部材の孔部の縁部に沿って確実に封止されないおそれがある等の問題がある。
【００１７】
一方、加熱温度が１６０℃より高い場合、また液状封止樹脂の粘度が１０Ｐａ・ｓより小さい場合には、液状封止樹脂が機能部にまで濡れ拡がってしまうおそれがある等の問題がある。
【００１８】
また、複数の実装領域を有するリードフレームと、リードフレームの各実装領域に対応する複数の突堤部を有する枠部材を用いるようにすれば、多数の光機能素子パッケージを同時に作成することができ、生産効率を大幅に向上させることが可能になる。
【００１９】
さらに、本発明において、光機能素子の機能部の周囲に堰き止め部を設けるようにすれば、液状封止樹脂を機能部の近傍において確実に堰き止めて機能部露出用空間を形成することができる。
【発明の効果】
【００２０】
本発明によれば、鉛フリーはんだリフローに対する耐性を有し、かつ、低コストの光機能素子パッケージを提供することができる。
また、本発明によれば、光機能素子の諸特性を確実に発揮させることが可能な光機能素子パッケージを安価に提供することができる。
【発明を実施するための最良の形態】
【００２１】
以下、本発明の好ましい実施の形態を図面を参照して詳細に説明する。
図１（ａ）〜（ｅ）は、本発明に係る光機能素子パッケージの製造方法の実施の形態を示す断面構成図、図２〜図７は、同実施の形態の工程を示す斜視図である。
図２に示すように、本実施の形態においては、まず、ＩＣチップ用の取付部１ａ及び外部接続端子１ｂを有する実装領域がマトリクス状に複数配置されたリードフレーム１を用意する。
【００２２】
そして、図１（ａ）及び図３に示すように、リードフレーム１の裏側面（素子非実装側面）に耐熱フィルム２を貼り付ける。
本発明の場合、耐熱フィルム２の種類は特に限定されることはないが、耐熱性確保とコストダウンの観点からは、ポリエステル樹脂からなるものを用いることが好ましい。
この耐熱フィルム２は、後述する液状封止樹脂６を支持するとともに、リードフレーム１実装面の液状樹脂による汚染を防止するためのものである。
【００２３】
次に、図１（ｂ）及び図４に示すように、リードフレーム１の表側面（素子実装側面）の各実装領域に、光機能素子３をそれぞれワイヤーボンディング法によって実装する。
【００２４】
すなわち、リードフレーム１の取付部１ａに光機能素子３を装着するとともに、光機能素子３の接続部３ａとリードフレーム１の外部接続端子１ｂとを金線４を用いて電気的に接続する。
さらに、図１（ｃ）に示すように、リードフレーム１上の光機能素子３の周囲に、液状封止樹脂６を堰き止めるための突堤部５を設ける。
【００２５】
本実施の形態の場合は、例えば図５に示すように、リードフレーム１の各実装領域に対応する複数の突堤部５を格子状に形成した枠部材５０を、リードフレーム１上に位置決め固定する。
なお、突堤部５の高さは、その上端部分が金線４の上端部の位置より高い位置となるように条件を設定する。
【００２６】
次に、図１（ｄ）及び図６に示すように、リードフレーム１上の各突堤部５の内側に液状封止樹脂６を滴下して光機能素子３を液状封止樹脂６中に埋没させる。
本発明の場合、液状封止樹脂６としては、熱硬化型又は紫外線硬化型のいずれを用いることもでき、その種類は特に限定されない。
【００２７】
ただし、リフロー時の耐熱性の観点からは、エポキシ系熱硬化型樹脂を用いることが好ましい。
また、液状封止樹脂６として透光性の樹脂を用いることが必要である。
【００２８】
そして、液状封止樹脂６として熱硬化型の樹脂を用いた場合には、樹脂の滴下後、所定の温度で加熱することにより液状封止樹脂６を硬化させてパッケージ本体６ａとする。
【００２９】
その後、耐熱フィルム２をリードフレーム１から剥離し、さらに、突堤部５を剥離した後に当該部分より内側の位置においてダイシングを行うことにより、不要部分を切断除去する。
これにより、図１（ｅ）及び図７に示すように、目的とする光機能素子パッケージ１０を得る。
【００３０】
以上述べたように本実施の形態によれば、リードフレーム材料によってワイヤーボンディング用の外部接続端子１ｂを構成するとともに、液状封止樹脂６によってパッケージ本体６ａを構成するようにしたことから、鉛フリーはんだリフローに対する耐性を有し、しかも、低コストの光機能素子パッケージ１０を提供することができる。
【００３１】
さらに、本実施の形態によれば、種々の構造及び機能の光機能素子パッケージ１０を極めて簡素な工程で製造することができる。しかも、プロセスの温度がトランスファーモールドより低温であるため、耐熱フィルムの要求耐熱温度仕様を大幅に低減させることが可能になる。
【００３２】
図８（ａ）〜（ｅ）は、本発明の他の実施の形態を示す断面構成図であり、以下、上記実施の形態と対応する部分には同一の符号を付しその詳細な説明を省略する。
【００３３】
図８（ａ）に示すように、本実施の形態においても、上述したリードフレーム１の裏側面に耐熱フィルム２を貼り付け、さらに、図８（ｂ）に示すように、リードフレーム１の表側面の各実装領域に、光機能素子３をそれぞれワイヤーボンディング法によって実装する。
そして、図８（ｃ）に示すように、上述した枠部材５０を用い、リードフレーム１上の各光機能素子３の周囲に、液状封止樹脂６を堰き止めるための突堤部５を設ける。
【００３４】
本発明の場合、突堤部５の高さは、後述するパッケージ構成部材７の押圧の際に上端部分が金線４の上端部の位置より高い位置となるように条件を設定することが好ましい。
そして、光機能素子３と突堤部５との間に液状封止樹脂６を滴下して光機能素子３と前記突堤部５との間にこの液状封止樹脂６を充填する。
【００３５】
この場合、光機能素子３の機能部３０に液状封止樹脂６が到達せず、かつ、液状封止樹脂６の頂部が突堤部５の上端部とほぼ等しくなるように液状封止樹脂６を滴下することが好ましい。
【００３６】
さらに、図８（ｄ）に示すように、以下のパッケージ構成部材７を突堤部５上に当接配置し、所定の圧力で全体的にリードフレーム１方向に押圧する。
このパッケージ構成部材７は、例えばプリント配線板、プラスチック板等からなる板状の部材で、例えばその中央部分に光機能素子３の機能部３０に対応する孔部７ａが設けられており、この孔部７ａを当該機能部３０の直上に配置して押圧を行う。
【００３７】
そして、この工程により、パッケージ構成部材７のリードフレーム１側の面（下面）と液状封止樹脂６とが接触し、光機能素子３の機能部３０以外の部分を覆うように液状封止樹脂６が充填される。
【００３８】
すなわち、光機能素子３と突堤部５との間に充填された液状封止樹脂６は、毛細管現象によりパッケージ構成部材７の下面に沿って孔部７ａに向って拡がるが、パッケージ構成部材７の下面と光機能素子３との間の微小な隙間（クリアランス）において液状封止樹脂６の表面張力によって孔部７ａの縁部で堰き止められ、機能部３０に侵入せずに留まった状態になり、これにより機能部露出用空間２０が形成される。
【００３９】
本発明の場合、パッケージ構成部材７の孔部７ａの大きさは特に限定されることはないが、液状封止樹脂６の機能部露出用空間２０への流れ込みを考慮すると、光機能素子３の機能部３０の周囲において、機能部３０との距離が１００〜８００μｍ、好ましくは５００〜７００μｍとなるように、孔部７ａの大きさを設定することが好ましい。
また、同様の観点から、光機能素子３の上面とパッケージ構成部材７の下面のクリアランスは、２００〜４００μｍに設定することが好ましい。
【００４０】
そして、液状封止樹脂６として熱硬化型の樹脂を用いた場合には、樹脂の滴下後、所定の温度で加熱することにより液状封止樹脂６を硬化させてパッケージ本体６ａとする。
【００４１】
その後、耐熱フィルム２をリードフレーム１から剥離し、さらに、突堤部５の内側の位置においてダイシングを行うことにより、突堤部５を切断除去する。
これにより、図８（ｅ）に示すように、目的とする光機能素子パッケージ１１を得る。
【００４２】
以上述べたように本実施の形態の光機能素子パッケージ１１によれば、上記実施の形態同様の効果に加えて、光機能素子３の機能部３０が露出した状態となっているため、青紫レーザー光のような短波長の光を減衰させずに確実に入出力することができ、入出力特性の優れた光機能素子パッケージ１１を提供することができる。
【００４３】
図９は、本発明の他の実施の形態の断面構成図であり、以下、上記実施の形態と対応する部分には同一の符号を付しその詳細な説明を省略する。
図９に示すように、本実施の形態の光機能素子パッケージ１２は、図８（ｅ）に示す光機能素子パッケージ１１のパッケージ構成部材７上に、例えば板状の保護用被覆部材８を、孔部７ａを覆うように例えば接着剤を用いて貼り合わせたものである。これにより、光機能素子３の機能部３０の上方に機能部露出用空間２０が形成される。
【００４４】
本発明の場合、保護用被覆部材８としては、例えばガラス基板や樹脂基板を用いることができる。この場合には、例えば光透過性のガラス基板を用いるとよい。
【００４５】
本実施の形態の場合、保護用被覆部材８は、液状封止樹脂６の硬化後にパッケージ構成部材７に貼り合わせてもよいし、保護用被覆部材８を貼り合わせた後に、パッケージ構成部材７の押圧、液状封止樹脂６の硬化を行うことも可能である。
【００４６】
このような構成を有する本実施の形態によれば、上記実施の形態と同様の効果に加えて、パッケージ構成部材７上に孔部７ａを覆う保護用被覆部材８が設けられていることから、光機能素子３の機能部３０への水滴、異物等の付着を防止することが可能になるとともに、はんだリフロー時におけるフラックスによる汚染を防止することが可能になる。
その他の構成及び作用効果については上述の実施の形態と同一であるのでその詳細な説明を省略する。
【００４７】
図１０は、本発明の他の実施の形態を示す断面構成図であり、以下、上記実施の形態と対応する部分には同一の符号を付しその詳細な説明を省略する。
図１０に示すように、本実施の形態の光機能素子パッケージ１３は、図８（ｅ）に示す光機能素子パッケージ１１のパッケージ構成部材７上に、例えば樹脂材料からなる保護フィルム９を、孔部７ａを覆うように例えば接着剤を用いて貼り合わせたものである。
【００４８】
本発明の場合、保護フィルム９の種類は特に限定されることはないが、リフロー時の耐熱性の観点からは、ポリイミド系フィルムからなるものを用いることが好ましい。
また、保護フィルム９の接着に用いる接着剤は接着力が弱くパッケージ構成部材７から保護フィルム９が剥離可能なものを用いる。
【００４９】
本実施の形態の場合、保護フィルム９は、液状封止樹脂６の硬化後にパッケージ構成部材７に貼り合わせてもよいし、保護フィルム９を貼り合わせた後に、パッケージ構成部材７の押圧、液状封止樹脂６の硬化を行うことも可能である。
【００５０】
このような構成を有する本実施の形態によれば、上記実施の形態と同様の効果に加えて、パッケージ構成部材７上に孔部７ａを覆う保護フィルム９が設けられていることから、光機能素子３の機能部３０への水滴、異物等の付着を防止することが可能になるとともに、はんだリフロー時におけるフラックスによる汚染を防止することが可能になる。
【００５１】
しかも、本実施の形態では、パッケージ構成部材７から剥離可能な保護フィルム９を用いているので、使用の際、例えばマザーボードへのパッケージ実装後の組立の際に保護フィルム９を剥がすことによって、光機能素子３に光信号を減衰させることなく入出力させることが可能になる。
【００５２】
なお、本発明は上述の実施の形態に限られることなく、種々の変更を行うことができる。
例えば、上述の実施の形態においては、耐熱フィルムをリードフレームから剥離した後に突堤部を切断除去するようにしたが、本発明はこれに限られず、突堤部を切断除去した後に耐熱フィルムを剥離することも可能である。
【００５３】
また、光機能素子の機能部の周囲に、液状封止樹脂を堰き止めるため、例えばリング状の堰き止め部を設けておくことも可能である。このような堰き止め部は、突状又は溝状のいずれの形状であってもよい。
【００５４】
このような構成によれば、液状封止樹脂を機能部の近傍において確実に堰き止めることができるので、製品品質向上及び歩留向上を図ることができる。
また、本発明においては、液状封止樹脂として光（例えば紫外線）硬化型の樹脂を用い、光によって硬化させることも可能である。この場合にはパッケージ構成部材を光透過性の材料から構成し、このパッケージ構成部材を介して光を液状封止樹脂に照射する。
【００５５】
さらに、本発明は、光機能素子実装モジュールのみならず、種々のＭＥＭＳ（Ｍｉｃｒｏ  Ｅｌｅｃｔｒｏ  Ｍｅｃｈａｎｉｃａｌ  Ｓｙｓｔｅｍ）用部品に適用することができるものである。
【図面の簡単な説明】
【００５６】
【図１】（ａ）〜（ｅ）：本発明に係る光機能素子パッケージの製造方法の実施の形態を示す断面構成図である。
【図２】同実施の形態の工程を示す斜視図である（その１）。
【図３】同実施の形態の工程を示す斜視図である（その２）。
【図４】同実施の形態の工程を示す斜視図である（その３）。
【図５】同実施の形態の工程を示す斜視図である（その４）。
【図６】同実施の形態の工程を示す斜視図である（その５）。
【図７】同実施の形態の工程を示す斜視図である（その６）。
【図８】（ａ）〜（ｅ）：本発明の他の実施の形態を示す断面構成図
【図９】本発明の他の実施の形態を示す断面構成図である。
【図１０】本発明の他の実施の形態を示す断面構成図である。
【符号の説明】
【００５７】
１…リードフレーム  １ｂ…外部接続端子  ２…耐熱フィルム  ３…光機能素子  ５…突堤部  ６…液状封止樹脂  ６ａ…パッケージ本体  ７…パッケージ構成部材  ７ａ…孔部  １０…光機能素子パッケージ  ２０…機能部露出用空間  ３０…機能部
【図１】
0004782522.tif 000002
【図２】
0004782522.tif 000003
【図３】
0004782522.tif 000004
【図４】
0004782522.tif 000005
【図５】
0004782522.tif 000006
【図６】
0004782522.tif 000007
【図７】
0004782522.tif 000008
【図８】
0004782522.tif 000009
【図９】
0004782522.tif 000010
【図１０】
0004782522.tif 000011